(57)【要約】【課題】帯状フィルムで簡易包装された情報記録媒体の複数個をパック包装する際に、帯状フィルムが集合包装体に設けた透明な窓部を介して見える場合でも、集合包装体の外観上の印象が帯状フィルムで損なわれるのを解消する。併せて、個々の情報記録媒体における帯状フィルムの破断開封を簡便化する。【解決手段】情報記録媒体Ｍと、収納ケース３と、カード状付属体Ｓとを、収納ケース３の外周面に巻き付けた熱収縮性の帯状フィルム４で分離不能に包装して単位包装体６とする。帯状フィルム４の破断を促進するスリット列７が、帯状フィルムを横断する状態で形成されている。単位包装体６の複数個を集積し、その外周面全体を包装シート１０で封止包装して集合包装体とする。集合包装体の前面には、シート内部を視認できる透明の窓部１２が形成してある。単位包装体６のスリット列７を窓部１２以外の包装部分で覆って、スリット列７が窓部１２を介して外側からは見えないようにする。【選択図】　　　　図１
2004035095.tif 000002
【特許請求の範囲】
【請求項１】
カートリッジ化された情報記録媒体と、前記情報記録媒体を収納する収納ケースと、前記収納ケースに組み込まれるインデックスカードやタイトルカードなどのカード状付属体とを包装対象とし、
前記包装対象が、前記収納ケースの外周面に巻き付けた熱収縮性の帯状フィルムで分離不能に包装されており、
前記帯状フィルムに、破断を促進するためのスリット列が、前記帯状フィルムを横断する状態で形成されていることを特徴とする情報記録媒体の包装構造。
【請求項２】
前記スリット列が、一定間隔置きに形成した複数個の単位スリットを直線列状に並ベて形成してあり、
前記スリット列の両側端に位置する前記単位スリットが、前記帯状フィルムの両側縁より僅かに内側に形成されている請求項１記載の情報記録媒体の包装構造。
【請求項３】
前記スリット列が、斜めに傾斜する状態で一定間隔置きに形成した複数個の単位スリットを直線列状に並ベて形成されている請求項１記載の情報記録媒体の包装構造。
【請求項４】
カートリッジ化された情報記録媒体と、前記情報記録媒体を収納する収納ケースと、前記収納ケースに組み込まれるインデックスカードやタイトルカードなどのカード状付属体とを包装対象とし、
前記包装対象が、前記収納ケースの外周面に巻き付けた熱収縮性の帯状フィルムで分離不能に包装されて単位包装体とされており、
前記帯状フィルムに、破断を促進するためのスリット列が、前記帯状フィルムを横断する状態で形成されており、
前記単位包装体の複数個を集積し、その外周面全体を包装シートで封止包装して構成された集合包装体であって、
前記集合包装体の前面を覆う前記包装シートには、シート内部を視認するための透明の窓部が形成されており、
前記単位包装体の前記スリット列が、前記窓部以外の包装部分で覆われている情報記録媒体の集合包装体。
【発明の詳細な説明】
【０００１】
【発明の属する技術分野】
この発明は、ディスクカートリッジやテープカートリッジなどの情報記録媒体の包装構造に関する。
【０００２】
【従来の技術】
本出願人は、包装構造を簡素化することにより省資源化を実現した、情報記録媒体用の包装構造を先に提案した（特開２００１−１９９４９４号公報）。そこでは、図８に示すように情報記録媒体ｍが収容される収納ケース２０を熱収縮性の帯状フィルム２１で包装することにより、情報記録媒体ｍとカード状付属体２２と収納ケース２０とを分離不能に封止包装し、収納ケースの全周面を包装フィルムで覆っていた従来の包装構造に比べて、包装用フィルム使用量を大幅に削減している。
【０００３】
また、帯状フィルム２１の両側縁に沿って、微細孔やハーフカットの一群からなる開封帯部２３を形成することにより、帯状フィルム２１の破断操作の簡便化を図り、開封テープを省略している。この種の帯封構造は、包装対象が異なるものの、特開２００１−１８０６２２号公報や特開２０００−７９９７０号公報にも見ることができる。前者においては、開封を容易化するために熱収縮フィルムで形成した帯封の一部にミシン目が形成されている。
【０００４】
上記のように簡易包装された情報記録媒体は、単体で販売される場合と、複数個の情報記録媒体をひとまとめにしてパック包装した状態で販売される場合とがある。後者の場合には、図９に示すように、例えば５個の単位包装体２４を角箱状に集積したうえで、その外周面全体をシート状の包装フィルム２５で包んでいる。パック化された包装フィルム２５の表面には、情報記録媒体ｍの商品名、仕様や特性、あるいはメーカー名などを印刷してある。さらに、包装パックの前面上部に透明な窓部２６が設けてあって、内部の情報記録媒体ｍを視認できるようにしてある。
【０００５】
【発明が解決しようとする課題】
上記の包装構造によれば、個々の情報記録媒体ｍにおける包装用フィルムの使用量が減少して省資源を実現できる。しかし、複数個の情報記録媒体ｍをパック包装した状態において、集合包装体の前面上部に透明な窓部２６を設けてあると、この窓部２６を介して帯状フィル２１が見えるのを避けられない。
【０００６】
帯状フィルム２１をひとつのデザイン要素と見る限りは、帯状フィルム２１が集合包装体の外面から見えることに何ら問題はない。問題は、帯状フィルム２１の両側縁に形成してある開封帯部２３が粗面状に形成されていて、その呈色状態と質感とが他のフィルム面とは明らかに異なるため、開封帯部２３が見る人に強い印象を与えやすく、そのことが包装パックの外観上の印象を損う要因になっていた。
【０００７】
先の開封帯部２３は、フィルム面に電子ビームを放射して、あるいはコロナ放電によって形成した微細孔やハーフカットの一群で形成してあり、その引裂き強度を他のフィルム面に比べて弱くすることにより、フィルム破断のきっかけにしている。ところが、開封帯部２３が帯状フィルム２１の両側縁に沿って面状の広がりを持った状態で形成してあるので、フィルムを破断する際の外力が分散され、より広い面積で破断力が受け止められてしまうため、帯状フィルム２１の側縁が破断し始めるまでに大きな力を要していた。
【０００８】
この発明の目的は、帯状フィルムで簡易包装された情報記録媒体の複数個がパック包装され、帯状フィルムが集合包装体に設けた透明な窓部を介して見える場合でも、集合包装体の外観上の印象が帯状フィルムによって損なわれるのを解消でき、しかも個々の情報記録媒体における帯状フィルムの破断開封がさらに簡便に行える情報記録媒体の包装構造とその集合包装体を提供することにある。
【０００９】
【課題を解決するための手段】
この発明の包装構造は、図２に示すごとくカートリッジ化された情報記録媒体Ｍと、情報記録媒体Ｍを収納する収納ケース３と、収納ケース３に組み込まれるインデックスカードＳ１やタイトルカードＳ２などのカード状付属体Ｓとを包装対象とする。その包装対象は、収納ケース３の外周面に巻き付けた熱収縮性の帯状フィルム４で分離不能に包装されており、帯状フィルム４の周面に、破断を促進するためのスリット列７が、帯状フィルム４を横断する状態で形成されていることを特徴とする。
【００１０】
具体的には、前記スリット列７は、図３に示すごとく一定間隔置きに形成した複数個の単位スリット８を直線列状に並ベて形成してあり、スリット列７の両側端に位置する単位スリット８が、帯状フィルム４の両側縁より僅かに内側に形成されている。
【００１１】
別のスリット列７は、図５に示すごとく斜めに傾斜する状態で一定間隔置きに形成した複数個の単位スリット８を直線列状に並ベて形成されている。
【００１２】
この発明の集合包装体は、カートリッジ化された情報記録媒体ｍと、情報記録媒体ｍを収納する収納ケース３と、収納ケース３に組み込まれるインデックスカードＳ１やタイトルカードＳ２などのカード状付属体Ｓとを包装対象とする。その包装対象は、収納ケース３の外周面に巻き付けた熱収縮性の帯状フィルム４で分離不能に包装されて単位包装体６とされており、帯状フィルム４には、破断を促進するためのスリット列７が、帯状フィルム４を横断する状態で形成されており、単位包装体６の複数個を集積し、その外周面全体を包装シート１０で封止包装して構成されている。集合包装体の前面を覆う包装シート１０には、シート内部を視認するための透明の窓部１２が形成されており、単位包装体６のスリット列７が、窓部１２以外の包装部分で覆われていることを特徴とする。
【００１３】
【発明の作用効果】
この発明では、情報記録媒体Ｍ、収納ケース３、およびカード状付属体Ｓを、収納ケース３の外周面に巻き付けた熱収縮性の帯状フィルム４で分離不能に包装して単位包装体６とし、帯状フィルム４に、横断状態でスリット列７を設けて、帯状フィルム４の破断を促進できるようにした。つまり、フィルム破断のきっかけとなるスリット列７を、フィルム面を横断するように設け、帯状フィルム４の長手方向に連続するのを避けるようにした。
【００１４】
従って、この発明の包装構造によれば、帯状フィルム４で簡易包装された情報記録媒体Ｍの複数個をパック包装する際に、帯状フィルム４が集合包装体に設けた透明な窓部１２を介して見える場合でも、スリット列７を窓部１２以外の個所に位置させておくだけで隠蔽でき、パック包装された集合包装体の外観上の印象が帯状フィルム４によって損なわれるのを解消できる。
【００１５】
また、個々の単位包装体６においては、スリット列７によって帯状フィルム４に明確な危険断面を形成することができるので、この種の従来の開封帯部に比べて、フィルム面をスリット列７に沿って確実に破断でき、帯状フィルム４の破断開封をさらに簡便に行うことができる。
【００１６】
一定間隔置きに形成した複数個の単位スリット８を直線列状に並ベてスリット列７を形成し、その両側端に位置する単位スリット８が、帯状フィルム４の両側縁より僅かに内側に形成されていると、帯状フィルム４を開封する際に、スリット列７の両側端に位置する単位スリット８が切り裂き始端になるのを確実化できるうえ、陳列された単位包装体６を手にとって見るなど、通常の取り扱い状態においてスリット列７の側端が簡単にめくれるのを防止して、外観上の体裁が損なわれるのを確実に防止できる。
【００１７】
複数個の単位スリット８を斜めに傾斜する状態で一定間隔置きに形成し、これらの単位スリット８を直線列状に並ベてスリット列７とした帯状フィルム４によれば、単位スリット８を斜めに傾斜させることにより、一定幅の帯状フィルム４の幅方向における単位スリット８の形成個数が増加し、これによってスリット列７を形成した個所における破断強度をさらに小さくできる。単位スリット８の傾き角度やその長さを変更することにより、破断強度を変更できる利点もある。
【００１８】
この発明の集合包装体は、上記のようにして得られた単位包装体６の複数個を集積し、その周面全体を包装シート１０で封止包装して集合包装体とするが、その際に、単位包装体６のスリット列７を、包装シート１０に設けた窓部１２以外の包装部分で覆うことにより集合包装体とするので、窓部１２を介して帯状フィルム４が見えることはあっても、スリット列７が窓部１２を介して見えるのを確実に防止できる。従って、帯状フィルム４によって集合包装体の外観上の印象が損なわれるのを解消でき、従来の集合包装体に比べて見た目の印象がすっきりした集合包装体として、購買意欲を促進することができる。
【００１９】
【実施例】
図１ないし図４はこの発明に係る情報記録媒体の包装構造の実施例１を示す。図２において、包装対象の情報記録媒体Ｍは、光磁気デスク１が四角形状のカートリッジケース２に収容されたミニディスクである場合を示している。情報記録媒体Ｍは、ブックケース状に形成された収納ケース３と、インデックスカードＳ１およびタイトルカードＳ２を含むカード状付属体Ｓとともに、熱収縮性フィルムで形成した帯状フィルム４で簡易包装される。
【００２０】
上記の包装対象は、図２に示すように情報記録媒体Ｍと、その片面に重ねたインデックスカードＳ１およびタイトルカードＳ２とを収納ケース３に差し込み装填し、タイトルカードＳ２の折返し部５を収納ケース３の外側上面に被せ付ける。
【００２１】
この状態で、帯状フィルム４を収納ケース３の外周に巻き付け、フィルム端どうしを重ねて熱溶着し、帯状フィルム４を無端リング状とする。予め無端リング状に形成しておいた帯状フィルム４を収納ケース３に外嵌装着してもよい。さらに、帯状フィルム４の端部どうしを接着して、無端リング状とすることができる。
【００２２】
この後に、帯状フィルム４を加熱して熱収縮させ、フィルム面を収納ケース３の外周面に密着させることにより、各包装対象を分離不能に包装する。このように帯状フィルム４を用いて、情報記録媒体Ｍ、収納ケース３、カード状付属体Ｓの三者を一体包装すると、包装用フィルムの使用量が少なくて済み省資源に寄与できる。
【００２３】
上記により得られた単位包装体６は、帯状フィルム４の一部に破断を促進するスリット列７を形成して、帯状フィルム４の開封を容易化する。図１に示すように、この実施例では、収納ケース３の出入れ口３ａの近傍において、タイトルカードＳ２の折返し部５の外面にスリット列７が位置するように形成した。
【００２４】
図３においてスリット列７は、一定間隔置きに形成した複数個の単位スリット８を帯状フィルム４の幅方向へ直線列状に並べて形成した。各単位スリット８は横長の貫通溝からなる。スリット列７の両側端に位置する単位スリット８は、帯状フィルム４の両側端より僅かに内側に形成して、単位スリット８が帯状フィルム４の両側縁と交差するのを避けた。これは、通常の取り扱い状態においてスリット列７の側端がめくれて、その外観上の体裁が損なわれるのを避けながら、帯状フィルム４を開封する場合には、スリット列７の両側端に位置する単位スリット８が切り裂き始端になるのを確実化するためである。
【００２５】
具体的には、熱収縮後の帯状フィルム４の厚み寸法が約３０μｍであるとき、両側端に位置する単位スリット８と帯状フィルム４の両側縁との間隔ｂを５．０ｍｍとした。また、単位スリット８の長さは３．０ｍｍ、単位スリット８の隣接間隔は５．０ｍｍとした。なお、スリット列７は電子ビームやコロナ放電の放射によって、従来と同様にして形成することができる。
【００２６】
複数個の単位包装体６をひとまとめにして、パック包装した状態で販売する場合には、図４に示すように、例えば５個の単位包装体６を重ね合わせて集積した後、その外周面全体を熱収縮性の包装シート１０で密封状に包装する。具体的には、５個の単位包装体６をタイトルカードＳ２の折返し部５が下に位置する起立姿勢で前後に重ねてブロック状とし、その外周面を包装シート１０で筒状に包み、内外に重なるシート端どうしを集合包装体の背面側で熱溶着する。さらに、側面にはみ出した包装シート１０の筒端を単位包装体６の側面に沿って折り込み、この折込み部分１１を熱溶着する。最後に、包装シート１０の全体を均等に加熱して熱収縮させ集合包装体を形成する。得られた集合包装体の前面の上部には、シート内部を視認できる透明の窓部１２が、前面の左右幅とほぼ同じ幅で形成されている。
【００２７】
上記構成の集合包装体は、窓部１２を介して単位包装体６と、その帯状フィルム４とを視認できる。しかし、帯状フィルム４に設けたスリット列７は、窓部１２を除く包装部分で覆われているので、これを集合包装体の外側から見ることはできない。従って、集合包装体の外観上の印象が帯状フィルム４によって損なわれるのを確実に解消できる。
【００２８】
包装シート１０を開封することにより、単位包装体６を個別に扱うことができ、その使用時には図３の想像線で示すように、スリット列７の近傍において、左右いずれか一方のフィルム側縁に爪を引っ掛けて帯状フィルム４を破断する。このとき、フィルム面に作用する外力は、側端に位置する単位スリット８とフィルム側縁との間において幅狭の間隔部分に集中するので、側端に位置する単位スリット８を切り裂き始端にして、破断線をスリット列７に沿って連続させることができる。つまり、帯状フィルム４は簡単に、しかも確実に破断開封できる。
【００２９】
図５ないし図７は、それぞれスリット列７の別実施例を示す。図５の実施例２では、複数個の単位スリット８を斜めに傾斜する状態で一定間隔置きに形成し、これらの単位スリット８を直線列状に並ベてスリット列７とした。このように、単位スリット８が傾斜していると、先の実施例１におけるスリット列７に比べて、一定幅の帯状フィルム４の幅方向における単位スリット８の形成個数が増加するので、スリット列７の形成個所における破断強度をさらに小さくできる。単位スリット８の傾斜角度や、スリットの長さおよび幅は必要に応じて自由に変更できる。
【００３０】
図６の実施例３では、隣接する複数個の微小孔８ａで単位スリット８を形成し、単位スリット８を直線列状に並べてスリット列７とした。図７の実施例４では、単位スリット８を、漢数字の一、二、一の順に交互に配置してスリット列７とした。このようにスリット列７が多数個の単位スリット８で形成されていると、図５のスリット列７と同様に、スリット列７の形成個所における破断強度をさらに小さくできる。
【００３１】
上記の実施例以外に、スリット列７は、単位スリット８を波形や、鋸刃形に並べて形成してもよい。単位スリット８は一定間隔置きに配置する必要はなく、その配置間隔はランダムであってもよい。また、スリット長さや幅が異なる単位スリット８の複数個でスリット列７を形成することができる。スリット列７は帯状フィルム４の複数個所に形成することができるが、その場合には窓部１２以外の包装シートでスリット列７が覆われるようにして、集合包装体を形成する。集合包装体における窓部１２の位置は変更でき、その形や面積も自由に変更できる。
【図面の簡単な説明】
【図１】単位包装体の斜視図
【図２】包装対象の分解斜視図
【図３】スリット列の詳細を示す正面図
【図４】集合包装体の斜視図
【図５】スリット列の実施例２を示す斜視図
【図６】スリット列の実施例３を示す斜視図
【図７】スリット列の実施例４を示す斜視図
【図８】従来の単位包装体の斜視図
【図９】従来の集合包装体の斜視図
【符号の説明】
３　収納ケース
４　帯状フィルム
５　折返し部
６　単位包装体
７　スリット列
８　単位スリット
１０　包装シート
１２　窓部
Ｍ　情報記録媒体
Ｓ　カード状付属体
Ｓ１　インデックスカード
Ｓ２　タイトルカード
【図１】
2004035095.tif 000003
【図２】
2004035095.tif 000004
【図３】
2004035095.tif 000005
【図４】
2004035095.tif 000006
【図５】
2004035095.tif 000007
【図６】
2004035095.tif 000008
【図７】
2004035095.tif 000009
【図８】
2004035095.tif 000010
【図９】
2004035095.tif 000011